(57)【特許請求の範囲】
【請求項１】
蓄冷剤が収容される蓄冷剤室と、冷却される保管物が保管される保管室と、を有する貯蔵庫本体と、
圧縮機及び凝縮器を少なくとも有する冷凍ユニットと、
前記貯蔵庫本体に設けられ、前記冷凍ユニットと接続されて冷気を生成する冷却器と、
前記圧縮機及び前記凝縮器が収容される機械室と、
前記蓄冷剤室の冷気を前記保管室に送風するための送風ファンと、
前記送風ファンの駆動源となる蓄電池を収容する蓄電池収容部と、を備え、
前記蓄電池収容部が、前記機械室と前記貯蔵庫本体のうち前記貯蔵庫本体の外面に配されており、
前記蓄冷剤室は、前記機械室との間に前記保管室を挟むよう配され、
前記蓄電池収容部は、前記蓄冷剤室の周囲に配され、
前記蓄冷剤室と前記保管室とを仕切る断熱壁が備えられるとともに前記送風ファンが前記断熱壁に固定されており、
前記機械室には、少なくとも前記冷凍ユニット、前記送風ファン及び前記蓄電池を制御するための制御部を収容する電装箱が収容されており、
前記蓄電池収容部は、前記貯蔵庫本体の外面から外側に突き出して配される冷却貯蔵庫。
【請求項２】
前記蓄電池が膨張した際に、その膨張を検知する検知部を備える請求項１に記載の冷却貯蔵庫。
【請求項３】
前記蓄電池収容部は、上方に開口された収容箱を備え、
前記蓄電池は、前記収容箱の内部空間に収容され、
前記蓄電池の上端部が前記内部空間の上端部に配されている請求項１又は請求項２に記載の冷却貯蔵庫。
【請求項４】
前記蓄電池収容部には、前記蓄電池の温度を検知可能な温度センサが収容されている請求項１から請求項３のいずれか一項に記載の冷却貯蔵庫。
【発明の詳細な説明】
【技術分野】
【０００１】
本発明は、冷却貯蔵庫に関する。
【背景技術】
【０００２】
従来、冷却貯蔵庫として、下記特許文献１に記載のものが知られている。特許文献１のものでは、機械室に蓄電池、圧縮機、凝縮器が設置されている。電源の切断時には、蓄電池によって庫内冷却用送風機を駆動させ、蓄冷剤によって保管室（貯蔵室）内を冷却することができる。
【先行技術文献】
【特許文献】
【０００３】
【特許文献１】特開平０６−１７４３５５号公報
【発明の概要】
【発明が解決しようとする課題】
【０００４】
特許文献１のものでは、機械室に蓄電池が配置されている。このため、機械室に配置されている機器から発生する熱の影響を蓄電池が受け易く、蓄電池の劣化が起こり易いという問題点がある。
【０００５】
本発明は上記のような事情に基づいて完成されたものであって、蓄電池の劣化を抑制することを目的とする。
【課題を解決するための手段】
【０００６】
上記課題を解決するために、本発明の冷却貯蔵庫は、蓄冷剤が収容される蓄冷剤室と、冷却される保管物が保管される保管室と、を有する貯蔵庫本体と、圧縮機及び凝縮器を少なくとも有する冷凍ユニットと、前記貯蔵庫本体に設けられ、前記冷凍ユニットと接続されて冷気を生成する冷却器と、前記圧縮機及び前記凝縮器が収容される機械室と、前記蓄冷剤室の冷気を前記保管室に送風するための送風ファンと、前記送風ファンの駆動源となる蓄電池を収容する蓄電池収容部と、を備え、前記蓄電池収容部が、前記機械室と前記貯蔵庫本体のうち前記貯蔵庫本体の外面に配されていることに特徴を有する。
【０００７】
このような構成とすれば、蓄電池収容部を貯蔵庫本体の外面に配することで、機械室に配する構成と比べて、冷凍ユニットの駆動に伴う熱の影響を蓄電池が受けにくくなり、蓄電池の温度上昇を抑えることができる。この結果、蓄電池の劣化を抑制することができる。また、蓄電池収容部を貯蔵庫本体の外面に配することで、蓄電池収容部に対する蓄電池の出し入れを容易に行うことができ、蓄電池の交換作業などを容易に行うことができる。
【０００８】
また、前記蓄電池が膨張した際に、その膨張を検知する検知部を備えるものとすることができる。これにより、蓄電池の異常を検知することができる。
【０００９】
また、前記蓄電池収容部は、上方に開口された収容箱を備え、前記蓄電池は、前記収容箱の内部空間に収容され、前記蓄電池の上端部が前記内部空間の上端部に配されているものとすることができる。このような構成とすれば、収容箱の開口を通じて容易に蓄電池を出し入れすることができる。これにより、蓄電池の交換作業などを容易に行うことができる。
【００１０】
また、前記蓄電池収容部には、前記蓄電池の温度を検知可能な温度センサが収容されているものとすることができる。蓄電池の温度を検知することで、蓄電池の異常を検知することができる。
【発明の効果】
【００１１】
本発明によれば、蓄電池の劣化を抑制することができる。
【図面の簡単な説明】
【００１２】
【図１】本発明の実施形態１に係る冷却貯蔵庫を示す側面図
【図２】図１の冷却貯蔵庫を示す断面図
【図３】図２の蓄冷剤室を示す拡大図
【図４】図２の保管室を示す拡大図
【図５】保管室を示す正面図
【図６】棚受金及び棚網を示す側面図
【図７】蓄電池収容部を示す断面図
【図８】蓄電池収容部を示す斜視図
【図９】収容箱を示す平面図
【図１０】収容箱の内部を示す図（冷却貯蔵庫の背面側から視た図）
【図１１】蓄電池サーミスタを用いた制御の一例を示すタイミングチャート
【図１２】本発明の実施形態２に係る蓄電池収容部の内部を示す図（側面視）
【図１３】図１２の蓄電池収容部を示す平面図
【図１４】リードスイッチに係る電気的構成を示す回路図
【図１５】関連技術１に係る冷却貯蔵庫の動作を示すタイミングチャート
【図１６】関連技術２に係る冷却貯蔵庫の動作を示すタイミングチャート
【図１７】関連技術３に係る冷却貯蔵庫の動作を示すタイミングチャート
【図１８】関連技術４に係る冷却貯蔵庫において蓄冷剤の凍結運転を示すタイミングチャート
【図１９】関連技術４に係る冷却貯蔵庫において停電時の動作を示すタイミングチャート
【発明を実施するための形態】
【００１３】
＜実施形態１＞
本発明の実施形態１を図１ないし図１１によって説明する。本実施形態の冷却貯蔵庫１０は、例えば、業務用の縦型冷却貯蔵庫とされる。冷却貯蔵庫１０は、図１に示すように、貯蔵庫本体１１と、貯蔵庫本体１１の下方に設けられる機械室２１と、貯蔵庫本体１１の背面に設けられる蓄電池収容部５０と、を備えている。貯蔵庫本体１１は、前面が開口した縦長の断熱箱体１２と、この開口を塞ぐ断熱扉１３を主体として構成されている。なお、以下の説明では、図２における左側を前側とし、右側を後側とする。また、図面の一部にはＸ軸、Ｙ軸及びＺ軸を示してある。図におけるＸ軸方向が左右方向、Ｙ軸方向が前後方向に対応し、Ｚ軸方向が上下方向に対応している。
【００１４】
機械室２１には、図１に示すように、冷凍ユニット３１及び電装箱３２が収容されている。冷凍ユニット３１は、圧縮機４１と、凝縮器４２と、凝縮器ファン４３とを備えている。電装箱３２には、冷凍ユニット３１を構成する各機器、蓄冷剤室冷却ファン２５、保管室冷却ファン２７、蓄電池５１（後述）等を制御するための制御部が収容されている。
【００１５】
図２に示すように、貯蔵庫本体１１の内部空間は、水平方向に延びる断熱壁１８によって、上下に仕切られている。これにより、蓄冷剤室２３及び保管室２４（貯蔵室）が上下方向に配列する形で設けられている。また、貯蔵庫本体１１の背面壁内には、蓄冷剤室２３と庫外とを連結する排水管１７が、上下方向に延在するように配設されている。
【００１６】
（蓄冷剤室２３の構成）
蓄冷剤室２３には、図３に示すように、冷却器１６と、蓄冷剤室冷却ファン２５と、複数の蓄冷剤３０とが収容されている。冷却器１６は、上述した圧縮機４１及び凝縮器４２と、冷媒配管（図示せず）によって循環接続されており、周知の冷凍サイクルを構成することで冷気を生成するものとされる。蓄冷剤３０は、低温状態とされて冷気を発生するものとされる。蓄冷剤３０は、例えば、ポリエチレン等の合成樹脂製のハードケース内にゲル化剤が充填された公知のものであって、全体としては平面長方形の厚板形状をなしている。また、蓄冷剤３０の下方には、蓄冷剤用のドレンパン３３が設置されている。
【００１７】
冷凍ユニット３１を駆動させた状態で蓄冷剤室冷却ファン２５を駆動させると、ドレンパン３３と断熱壁１８の間の空気が冷却器１６側に吸引され、冷却器１６を通過する過程で熱交換によって冷却される。これによって生成された冷気は、蓄冷剤室冷却ファン２５によって、蓄冷剤３０側に吐き出される。冷却器１６と蓄冷剤室冷却ファン２５とは、隣接されると共に対向配置されている。これにより、蓄冷剤３０を効率よく冷却することができる。また、蓄冷剤室冷却ファン２５の吹出口側には、ベルマウス２５Ａが設けられ、蓄冷剤３０に効率よく冷気を当てることができる。
【００１８】
図２に示すように、断熱壁１８における前側（図２の左側）の端部には吹出口１８Ａが貫通形成され、断熱壁１８における後側の端部には吸込口１８Ｂが貫通形成されている。断熱壁１８おける吹出口１８Ａ側には保管室冷却ファン２７が固定されている。また、図５に示すように、保管室２４を構成する後壁部２８の下端部には、スリット状の吸込口２８Ｂが複数形成されている。なお、保管室２４は略立方体形状をなしており、吹出口１８Ａ及び吸込口２８Ｂは、保管室２４の角部において対角状に配されている。
【００１９】
また、図２に示すように、保管室冷却ファン２７（送風ファン）は、ドレンパン３３よりも前側に配されている。吹出口１８Ａ及び保管室冷却ファン２７は、左右方向（図２の紙面貫通方向）において断熱壁１８の中央部に配されている。保管室冷却ファン２７を駆動させると、蓄冷剤室２３の冷気が吹出口１８Ａを通じて保管室２４に送られる。保管室２４に送られた冷気は、吸込口２８Ｂを通過した後、後壁部２８の裏側を通り、吸込口１８Ｂから蓄冷剤室２３に戻される。また、冷却器１６の下方には、霜取り用のヒータ１９が設けられている（図３参照）。
【００２０】
（保管室２４の構成）
保管室２４は、冷却される保管物が保管されるもので、保管室２４には保管物を載置することが可能な棚網６１が複数段（本実施形態では２段）設けられている。棚網６１は、平面視にて略方形状をなしており、図５に示すように、保管室２４を構成する左右の棚柱の各々に設置された一対の棚受金６４，６４によって支持されている。具体的には、図４に示すように、棚受金６４は、保管室２４の側壁２４Ａの各々に設けられた前側棚柱６２及び後側棚柱６３に取り付けられている。
【００２１】
前側棚柱６２は、上下方向に長い板状部材とされる。前側棚柱６２には、前後方向（図４の左右方向）に長い方形状の貫通孔６２Ａが上下方向に複数並ぶ形で形成されている。後側棚柱６３は、上下方向に長い板状部材とされる。後側棚柱６３には、上下方向に長い方形状の貫通孔６３Ａが上下方向に複数並ぶ形で形成されている。
【００２２】
棚受金６４は、図６に示すように、前後方向に長い板状部材であり、前側棚柱６２の貫通孔６２Ａに挿通可能な取付爪６４Ａと、後側棚柱６３の貫通孔６３Ａに挿通可能な取付爪６４Ｂと、を有している。取付爪６４Ａの先端部は下方に延びており、貫通孔６２Ａに挿通された後、前側棚柱６２の裏側に係止される。取付爪６４Ｂの先端部は後方に延びており、貫通孔６３Ａに挿通された後、後側棚柱６３の裏側に係止される。
【００２３】
また、取付爪６４Ｂの上下方向の長さは、貫通孔６３Ａの上下方向の長さとほぼ同じ値（又はわずかに小さい値）で設定されている。このため、取付爪６４Ｂ（ひいては棚受金６４の後端部）は、上下方向の変位が規制されている。なお、貫通孔６２Ａ及び貫通孔６３Ａはそれぞれ複数段設けられているため、棚受金６４の上下方向の取り付け位置は適宜変更可能となっている。
【００２４】
図６に示すように、棚網６１は、棚受金６４に対して前方（図６の左側）から差し入れることが可能となっている。棚受金６４は、棚網６１の側端部を支持する支持部６４Ｄと、棚網６１の上方への変位を規制する規制部６４Ｅと、を備えている。棚網６１は、複数の棒状部材を組み合わせることで構成されており、棚網６１の底部を構成する棒状部材には、半割形状の樹脂チューブ６５が複数箇所に巻き付けられている。これにより、棚網６１が直接的に支持部６４Ｄと接触する事態を抑制することができ、棚網６１が摩耗する事態を抑制することができる。
【００２５】
また、棚受金６４の支持部６４Ｄの前端部には、前方に向かうにつれて下降傾斜する傾斜部６４Ｆが設けられている。これにより、棚受金６４に対して棚網６１を容易に差し入れることができる。棚受金６４において、取付爪６４Ａの上方には、ボルト６６を取り付け可能なボルト取付孔６４Ｇが形成されている。図４に示すように、ボルト６６は、ボルト取付孔６４Ｇと、前側棚柱６２に形成されたボルト取付孔６２Ｇの双方に挿通される。これにより、棚受金６４の前側を前側棚柱６２に固定することができる。
【００２６】
また、ボルト６６は、棚網６１を棚受金６４に載置した後で棚受金６４に取り付けられるものとされ、ボルト６６の頭部６６Ａは、棚網６１における前後方向の中間部に設けられた当接部６１Ａの前方に配される。これにより、棚網６１を前方に引き出す際には、当接部６１Ａが頭部６６Ａに当接することで、それ以降の棚網６１の変位が規制され、棚網６１の脱落を防止することができる。なお、ボルト６６は、収容時の棚網６１の前端部と重なる形で配されており、棚網６１を使用する際に使用の妨げとなることがない。
【００２７】
（蓄電池収容部５０の構成）
蓄電池収容部５０は、図１に示すように、蓄電池５１が収容される収容箱５２と、収容箱５２の開口を上方から塞ぐ上部カバー５３と、を備えている。収容箱５２は、貯蔵庫本体１１の背面（外面）に取り付けられた下部ホルダ５４及び上部ホルダ５５によって保持されている。
【００２８】
下部ホルダ５４は、図８に示すように、収容箱５２を下方から支持するもので、上方及び前方（貯蔵庫本体１１側）に開口された略箱状をなしている。下部ホルダ５４における底壁部５４Ａの前端部には、下方に延びる取付板部５４Ｂが設けられている。取付板部５４Ｂには、複数の取付孔５４Ｄが形成されている。取付孔５４Ｄにネジが挿通されることで、貯蔵庫本体１１の背面に下部ホルダ５４が固定される構成となっている。
【００２９】
上部ホルダ５５は、後方に開口された略Ｕ字状をなしており、前側の壁部５５Ａには、複数の取付孔５５Ｄが形成されている。取付孔５５Ｄにネジが挿通されることで、貯蔵庫本体１１の背面に上部ホルダ５５が固定される構成となっている。
【００３０】
収容箱５２は、上方に開口された長方形状をなしており、蓄電池５１は、収容箱５２の内部空間Ｓ１における上部に配されている。具体的には、図７に示すように、収容箱５２の内面には、ブラケット５７Ｂ及び取付部材５７Ｄを介して蓄電池ホルダ５７が取り付けられている。蓄電池ホルダ５７は、上方に開口された２つの開口部５７Ａ（図９参照）を有しており、各開口部５７Ａに各蓄電池５１の下端部がそれぞれ嵌合されている。また、蓄電池５１の上端部は、収容箱５２の内部空間Ｓ１における上端部に配されている。
【００３１】
上部ホルダ５５の壁部５５Ａの上端部には、図８に示すように、Ｌ字状をなす取付片５５Ｅ，５５Ｆが形成されている。図７に示すように、取付片５５Ｅには、収容箱５２が有する取付片５２Ｅが上方から係止される。取付片５５Ｅの取付孔５５Ｇ及び取付片５２Ｅの取付孔５２Ｇ（図９参照）の双方にネジが挿通されることで、取付片５５Ｅと取付片５２Ｅとが締結されている。
【００３２】
また、取付片５５Ｆは、図８に示すように、上部カバー５３を下方から支持する構成とされる。取付片５５Ｆには、取付孔５５Ｈが形成されている。上部カバー５３に形成された取付孔５３Ｈと取付孔５５Ｈの双方にネジが挿通されることで、取付片５５Ｆと上部カバー５３とが締結されている。また、上部カバー５３の後端側には、取付孔５５Ｊが形成されている。この取付孔５５Ｊに対応して、収容箱５２には取付片５２Ｆ（図９参照）が設けられている。取付片５２Ｆの取付孔５２Ｊと、取付孔５５Ｊの双方にネジが挿通されることで、取付片５２Ｆと上部カバー５３とが締結されている。
【００３３】
また、収容箱５２の下部には、コネクタ５２Ａ（図１０の２点鎖線）が設けられている。蓄電池５１は、コネクタ５２Ａを介して、保管室冷却ファン２７や電装箱３２内の制御部３２Ａと電気的に接続されている。なお、コネクタ５２Ａやコネクタ５８Ａ（後述）に接続された配線は、図２に示す配線カバー５６によって覆われている。
【００３４】
収容箱５２を貯蔵庫本体１１に固定する際には、収容箱５２を上部ホルダ５５に対して上方から差し入れた後、収容箱５２の下端部を下部ホルダ５４に嵌合させる。次に、取付片５５Ｅと取付片５２Ｅをネジで固定する。続いて、上部カバー５３を収容箱５２の上端で覆った後、上部カバー５３を２つの取付片５５Ｆ，５５Ｆ及び取付片５２Ｆにネジで固定する。
【００３５】
蓄電池５１は、停電時などにおいて、主に保管室冷却ファン２７の駆動源となるもので、収容箱５２内の上部に設けられている。停電時においては、蓄電池５１によって、保管室冷却ファン２７を駆動し、蓄冷剤室２３の冷気を保管室２４に送ることができる。図１０に示すように、収容箱５２内において、蓄電池５１と隣接する形で蓄電池サーミスタ５８（温度センサ）が配されている。蓄電池サーミスタ５８は、蓄電池５１の温度を検知するもので、コネクタ５８Ａを介して、例えば、電装箱３２内の制御部３２Ａと電気的に接続されている。
【００３６】
（蓄電池サーミスタ５８に係る制御）
次に、蓄電池サーミスタ５８に係る制御について図１１を参照しつつ説明する。蓄電池サーミスタ５８に係る制御は、例えば、電装箱３２内の制御部３２Ａにおいて行われる。図１１は、蓄電池サーミスタ５８を用いた制御の一例を示すタイミングチャートである。図１１に示すように、本実施形態においては、外部電源によって蓄電池５１が充電され、この充電は、制御部３２Ａに設けられたタイマ（充電タイマ）によって定期的に行われる。
【００３７】
ここで、予め設定されている蓄電池５１の使用温度範囲の上限温度以上の温度を蓄電池サーミスタ５８が検知すると、タイマの動作に関わらず蓄電池５１への充電が停止される。そして、蓄電池サーミスタ５８が蓄電池５１の上限温度よりも所定値（例えば５Ｋ）以下の温度を検知すると、タイマによる蓄電池５１の充電が再開される。
【００３８】
また、上記上限温度よりも所定値（例えば５Ｋ）以上の温度を蓄電池サーミスタ５８が検知すると、制御部は、例えば電装箱３２に設けられたブザーを作動させると共に、電装箱３２に設けられた表示部にエラー表示を行う。これにより、蓄電池サーミスタ５８の温度異常を使用者に知らせることができる。
【００３９】
また、蓄電池５１の使用温度範囲の下限温度以下の温度を蓄電池サーミスタ５８が検知すると、タイマの動作に関わらず蓄電池５１への充電が停止される。そして、上記下限温度よりも所定値（例えば５Ｋ）以上の温度を蓄電池サーミスタ５８が検知すると、タイマによる蓄電池５１の充電が再開される。
【００４０】
このように、本実施形態では、蓄電池サーミスタ５８を備えることで、蓄電池５１の温度異常を確実に検知することができる。また、蓄電池サーミスタ５８の使用温度範囲外で充電が行われる事態を防止することができ、蓄電池サーミスタ５８の劣化を抑制することができる。
【００４１】
次に、本実施形態の効果について説明する。本実施形態によれば、蓄電池収容部５０を貯蔵庫本体１１の外面（背面）に配することで、機械室２１に配する構成と比べて、冷凍ユニット３１の駆動に伴う熱の影響を蓄電池５１が受けにくくなり、蓄電池５１の温度上昇を抑えることができる。この結果、蓄電池５１の劣化を抑制することができる。また、蓄電池収容部５０を貯蔵庫本体１１の外面に配することで、蓄電池収容部５０に対する蓄電池５１の出し入れを容易に行うことができ、蓄電池５１の交換作業などを容易に行うことができる。
【００４２】
また、蓄電池収容部５０は、上方に開口された箱状の収容箱５２を備え、蓄電池５１は、収容箱５２の内部空間Ｓ１に収容され、蓄電池５１の上端部が収容箱５２の内部空間の上端部に配されている。このような構成とすれば、収容箱５２の開口を通じて容易に蓄電池５１を出し入れすることができる。これにより、蓄電池５１の交換作業などを容易に行うことができる。
【００４３】
また、機械室２１は貯蔵庫本体１１の下方に配されているため、蓄電池収容部５０を貯蔵庫本体１１の上部に配することで、機械室２１から遠ざけることができ、機械室２１の熱（排熱など）が蓄電池収容部５０に伝わり難くなる。また、比較的重量の大きい機械室２１を下段にすることで冷却貯蔵庫１０の重心が下がり安定性をより高くすることができる。さらに、機械室２１が下段にあるため機械室２１の周囲の温度を貯蔵庫本体１１の周囲よりも低くすることができ、冷凍ユニット３１の冷却効率をより高くすることができる。
【００４４】
また、蓄電池収容部５０には、蓄電池５１の温度を検知可能な蓄電池サーミスタ５８が収容されている。蓄電池５１の温度を検知することで、蓄電池５１の異常を検知することができる。
【００４５】
＜実施形態２＞
次に、本発明の実施形態２を図１２ないし図１４によって説明する。本実施形態においては、蓄電池収容部の構成が上記実施形態と相違する。なお、上記実施形態と同一部分には、同一符号を付して重複する説明を省略する。図１２は、蓄電池収容部の内部を示す図である。本実施形態の蓄電池収容部１５０において、蓄電池１５１は、図１２及び図１３に示すように、蓄電池収容部１５０の内部空間の下部に配されており、蓄電池収容部１５０を構成する側壁部１５０Ａに沿う形で配されている。なお、図１３においては、ケースに収容された状態の蓄電池１５１を示している。なお、蓄電池収容部１５０が電装箱の機能を有していてもよい。
【００４６】
蓄電池１５１における側壁部１５０Ａと反対側の面には、蓄電池１５１とほぼ同じ面積の長方形状をなす検知板１５５が当接されている。図１２に示すように、この検知板１５５は、一対の押さえ板１５６，１５６によって側壁部１５０Ａに固定されている。具体的には、押さえ板１５６は、平面視においてクランク状をなしており、その一端部において、検知板１５５の角部付近に係止され、他端部において、側壁部１５０Ａに取り付けられている。また、一対の押さえ板１５６，１５６は、検知板１５５に対して対角状となるように配されている。
【００４７】
図１２に示すように、蓄電池収容部１５０には、蓄電池１５１の膨張を検知するためのリードスイッチ１５４（検知部）が設けられている。リードスイッチ１５４には、当接部１５７が検知板１５５の板厚方向において変位可能に取り付けられており、その当接部１５７は、検知板１５５のほぼ中心位置に当接されている。
【００４８】
図１４に示すように、本実施形態においては、外部電源Ｅ１に、電源リレー１５８、充電異常ランプ１５２、タイマ１５３Ａ、リードスイッチ１５４、蓄電池１５１が接続されている。本実施形態において、蓄電池１５１が膨張すると、検知板１５５が板厚方向に撓み、当接部１５７が同方向（図１３の矢線Ｘ１で示す方向）に変位する。当接部１５７が変位すると、リードスイッチ１５４はオンされる。
【００４９】
これにより、電源リレー１５８のコイル１５８Ａに通電されると共に、蓄電池収容部１５０に設けられた充電異常ランプ１５２が点灯する。コイル１５８Ａに通電することで、接点１５８Ｂが開放される。この結果、タイマ１５３Ａによる接点１５３Ｂのオンオフに関わらず、外部電源Ｅ１による蓄電池１５１の充電が停止する。このように、本実施形態では、蓄電池１５１が例えば、過充電などによって膨張した際に、その膨張を検知することができ、その充電を停止させることができる。
【００５０】
また、検知板１５５は、一対の押さえ板１５６によって、対向する２つの角部のみが固定されている。このようにすれば、検知板１５５の中心をより変位させ易くすることができ、蓄電池１５１の膨張をより確実に検知することができる。また、検知板１５５に緩衝材などを貼り付けることで、その板厚を調整する構成としてもよい。
【００５１】
＜関連技術１＞
上記に例示した冷却貯蔵庫において、以下のような技術を採用してもよい。関連技術１を図１５によって説明する。なお、上記実施形態と同一部分には、同一符号を付して重複する説明を省略する。関連技術１においては、後壁部２８の裏側の空間（通路）に保管室庫内サーミスタ２１１（図４参照）が配されている。保管室庫内サーミスタ２１１は、制御部３２Ａに対して電気的に接続されている。
【００５２】
図１５は、関連技術１に係る制御部３２Ａの制御を示すタイミングチャートである。図１５に示すように、電装箱３２に設けられた蓄冷剤冷却運転タイマがオンされている場合には、冷凍ユニット３１の駆動を停止し、保管室冷却ファン２７を駆動させることで、蓄冷剤３０による冷気を保管室２４に送風する。
【００５３】
ここで、保管室庫内サーミスタ２１１の検知温度が、所定温度の下限となった場合には、保管室冷却ファン２７の駆動を停止する。また、保管室庫内サーミスタ２１１の検知温度が、所定温度の上限となった場合には、保管室冷却ファン２７を駆動させる。このようにすれば、保管室２４の温度を所定の温度範囲で維持することができる。また、保管室冷却ファン２７の連続的に駆動させる構成と比べて保管室冷却ファン２７の発熱に伴う温度上昇を低減することができる。
【００５４】
＜関連技術２＞
上記に例示した冷却貯蔵庫において、以下のような技術を採用してもよい。関連技術２を図１６によって説明する。なお、上記実施形態と同一部分には、同一符号を付して重複する説明を省略する。関連技術２においては、図１６に示すように、停電時に蓄電池５１を用いて、保管室冷却ファン２７を駆動させる。また、停電時以外の場合であっても、蓄冷剤冷却運転タイマがオンされている場合には、冷凍ユニット３１の駆動を停止させ、外部電源を用いて、保管室冷却ファン２７を駆動させる。これにより、停電時以外の状況であっても蓄冷剤冷却運転タイマで設定された時間において、蓄冷剤３０による冷却運転を行うことができる。
【００５５】
＜関連技術３＞
上記に例示した冷却貯蔵庫において、以下のような技術を採用してもよい。関連技術３を図１７によって説明する。なお、上記実施形態と同一部分には、同一符号を付して重複する説明を省略する。関連技術３においては、上記関連技術２と同様に蓄冷剤冷却運転タイマで設定された時間において、蓄冷剤３０による冷却運転を行う。また、制御部３２Ａに設けられた制御基板内部タイマには、蓄冷剤３０の保冷能力に基づいて定められた所定の時間（例えば、停電時に蓄冷剤３０にて対応可能な最大運転時間の半分）が設定されている。
【００５６】
図１７に示すように、制御基板内部タイマがオフされると、蓄冷剤冷却運転タイマに設定された時間内であっても、蓄冷剤３０による冷却運転を停止する。具体的には、ヒータ１９によって冷却器１６の霜取り運転を行った後、冷凍ユニット３１を駆動させる。このようにすれば、蓄冷剤３０の保冷能力を常に一定（例えば、蓄冷剤３０の最大保冷時間の半分）以上に維持することができ、停電時において、より確実に蓄冷剤３０による保管室２４の冷却を行うことができる。
【００５７】
＜関連技術４＞
上記に例示した冷却貯蔵庫において、以下のような技術を採用してもよい。関連技術４を図１８、図１９によって説明する。なお、上記実施形態と同一部分には、同一符号を付して重複する説明を省略する。関連技術４においては、図１８に示すように、蓄冷剤凍結運転タイマに設定された時間で冷凍ユニット３１を駆動させ、蓄冷剤３０を凍結させる。ここで、蓄冷剤凍結運転タイマがオンされている場合には、蓄冷剤冷却運転タイマがオンされた場合であっても、冷凍ユニット３１の駆動を継続して行う。これにより、冷却器１６によって生じる冷気によって蓄冷剤３０を確実に凍結させることができる。
【００５８】
また、停電時には、蓄冷剤３０による冷却運転（冷凍ユニット３１を駆動せず、保管室冷却ファン２７を蓄電池５１で駆動する運転）を行う。このため、停電から復帰した直後は、蓄冷剤３０による保冷能力が低下した状態となっている。そこで、図１９に示すように、停電時において蓄電池５１による駆動を行った後、通常の電源が復帰し、この電源による駆動に切り替わった直後においては、蓄冷剤冷却運転タイマのオンオフに関わらず、ヒータ１９によって冷却器１６の霜取り運転を行った後、冷凍ユニット３１を駆動させる。このようにすれば、停電復帰後に蓄冷剤３０を凍結させることができ、その保冷能力が低下する事態を抑制することができる。
【００５９】
＜他の実施形態＞
本発明は上記記述及び図面によって説明した実施形態に限定されるものではなく、例えば次のような実施形態も本発明の技術的範囲に含まれる。
（１）上記実施形態では、蓄電池収容部５０が、貯蔵庫本体１１の背面に設けられている構成を例示したが、これに限定されない。蓄電池収容部５０は、貯蔵庫本体１１の外面に設けられていればよく、例えば、貯蔵庫本体１１の上面や側面に設けられていてもよい。
（２）制御部３２Ａの設置箇所は、電装箱３２内に限定されず適宜変更可能である。
【符号の説明】
【００６０】
１０…冷却貯蔵庫、１１…貯蔵庫本体、１６…冷却器、２１…機械室、２３…蓄冷剤室、２４…保管室、２７…保管室冷却ファン（送風ファン）、３０…蓄冷剤、３１…冷凍ユニット、４１…圧縮機、４２…凝縮器、５０，１５０…蓄電池収容部、５１，１５１…蓄電池、５２…収容箱、５８…蓄電池サーミスタ（温度センサ）
【図１】
0006659353.tif 000002
【図２】
0006659353.tif 000003
【図３】
0006659353.tif 000004
【図４】
0006659353.tif 000005
【図５】
0006659353.tif 000006
【図６】
0006659353.tif 000007
【図７】
0006659353.tif 000008
【図８】
0006659353.tif 000009
【図９】
0006659353.tif 000010
【図１０】
0006659353.tif 000011
【図１１】
0006659353.tif 000012
【図１２】
0006659353.tif 000013
【図１３】
0006659353.tif 000014
【図１４】
0006659353.tif 000015
【図１５】
0006659353.tif 000016
【図１６】
0006659353.tif 000017
【図１７】
0006659353.tif 000018
【図１８】
0006659353.tif 000019
【図１９】
0006659353.tif 000020